(57)【要約】【課題】構成部材を新たに追加することなく、接続配管を容易に固定することができる空気調和機の室内機を得る。【解決手段】熱交換器４と、熱交換器４が収容された筐体３と、熱交換器４の左右方向の一方の側から突出し、当該室内機と室外機とを接続する接続配管１６と、筐体３内に配置され、熱交換器４の一方の側に飛散した結露水を受ける熱交換器カバー５と、を有し、熱交換器カバー５は、接続配管１６を筐体３に押し付けて、接続配管１６を筐体３に固定している空気調和機の室内機。【選択図】図７
2015161493.tif 000002
【特許請求の範囲】
【請求項１】
空気調和機の室内機であって、
熱交換器と、
前記熱交換器が収容された筐体と、
前記熱交換器の左右方向の一方の側から突出し、当該室内機と室外機とを接続する接続配管と、
前記筐体内に配置され、前記熱交換器の前記一方の側に飛散した結露水を受ける熱交換器カバーと、を有し、
前記熱交換器カバーは、前記接続配管を前記筐体に押し付けて、前記接続配管を前記筐体に固定していることを特徴とする空気調和機の室内機。
【請求項２】
前記接続配管を覆う接続配管カバーをさらに有し、
前記熱交換器カバーは、前記接続配管カバーを前記筐体に押し付けて、前記接続配管を前記筐体に固定していることを特徴とする請求項１記載の空気調和機の室内機。
【請求項３】
前記熱交換器は、前記一方の側に突出する複数の配管群を含むことを特徴とする請求項１または請求項２に記載の空気調和機の室内機。
【請求項４】
前記接続配管は、前記複数の配管群よりも前記熱交換器から離れた場所で、下側に曲げられており、
前記筐体には、前記接続配管カバーのうちの上下方向に沿って延びる部分を収容する接続配管収容部が形成されており、
前記熱交換器カバーは、前記接続配管カバーの前記接続配管収容部に収容された部分を前記筐体に押し付けて、前記接続配管を前記筐体に固定していることを特徴とする請求項２に従属する請求項３記載の空気調和機の室内機。
【請求項５】
前記接続配管収容部は、前記接続配管カバーのうちの上下方向に沿って延びる部分の左右方向の位置を規制する第１のガイド壁および第２のガイド壁を有し、
前記第２のガイド壁よりも前記熱交換器側に形成された前記第１のガイド壁に、前記筐体と前記熱交換器カバーとの位置出しを行う位置出し部が形成され、
前記第２のガイド壁に、前記筐体と前記熱交換器カバーとの固定を行う固定部が形成されたことを特徴とする請求項４記載の空気調和機の室内機。
【請求項６】
前記熱交換器カバーには、前記接続配管カバー側に、前記接続配管カバーを押圧する押圧突起が形成されていることを特徴とする請求項２または請求項２に従属する請求項３〜５の何れか１項に記載の空気調和機の室内機。
【請求項７】
前記熱交換器カバーを挟んで、前記熱交換器とは反対側に設置された電気品箱をさらに有することを特徴とする請求項１〜請求項６の何れか１項に記載の空気調和機の室内機。
【発明の詳細な説明】
【技術分野】
【０００１】
この発明は、空気調和機の室内機に関する。
【背景技術】
【０００２】
従来の空気調和機の室内機としては、例えば、以下の特許文献１に示すように、筐体の底板の下側に設けられた補助底板の配管固定部に補助配管を固定したものが知られている。
【先行技術文献】
【特許文献】
【０００３】
【特許文献１】特開平５−２３１６７３号公報（第３頁、図１および図２）
【発明の概要】
【発明が解決しようとする課題】
【０００４】
しかしながら、従来の空気調和機の室内機では、補助配管を固定するための専用部材である補助底板を必要としており、部材点数が増加してしまっていた。さらに、従来の空気調和機の室内機では、補助底板に接続配管を固定する作業が煩雑であった。
【０００５】
この発明は、上記の課題を解決するためになされたものであり、その目的は、構成部材を新たに追加することなく、接続配管を容易に固定することができる空気調和機の室内機を得ることである。
【課題を解決するための手段】
【０００６】
この発明の空気調和機の室内機は、熱交換器と、前記熱交換器が収容された筐体と、前記熱交換器の左右方向の一方の側から突出し、当該室内機と室外機とを接続する接続配管と、前記筐体内に配置され、前記熱交換器の前記一方の側に飛散した結露水を受ける熱交換器カバーと、を有し、前記熱交換器カバーは、前記接続配管を前記筐体に押し付けて、前記接続配管を前記筐体に固定していることを特徴とする。
【発明の効果】
【０００７】
この発明によれば、結露水を受ける熱交換器カバーを筐体に取り付けるのみで、接続配管を固定することができる。その結果、この発明では、構成部材を新たに追加することなく、接続配管を容易に固定することができる空気調和機の室内機が得られる。
【図面の簡単な説明】
【０００８】
【図１】この発明の実施の形態１に係る空気調和機の室内機の斜視図である。
【図２】図１に記載の室内機の分解斜視図である。
【図３】図２に記載の熱交換器カバーの拡大図である。
【図４】図１に記載の室内機の縦断面を概略的に記載した概略図である。
【図５】図２に記載の熱交換器の右側を拡大した拡大図である。
【図６】図２に記載の背面側筐体、熱交換器カバーおよびドレンパンの右側を拡大した拡大図である。
【図７】図６に記載の背面側筐体に、図５に記載の熱交換器を設置した状態の斜視図である。
【図８】図７に記載の熱交換器カバーと背面側筐体とのネジ止めについて説明する模式図である。
【図９】図７に記載の熱交換器、背面側筐体および熱交換器カバーを組み立てた状態の横断面を概略的に記載した概略図である。
【図１０】図９に記載の接続配管収容部の部分を拡大した拡大図である。
【図１１】図１０に記載の熱交換器カバーの背面カバー板の背面図である。
【図１２】ドレンパンと熱交換器カバーとの位置関係を上側から見た模式図である。
【図１３】熱交換器とドレンパンと熱交換器カバーとの位置関係を左側から見た模式図である。
【図１４】図１３に記載の熱交換器カバーを左側から見た斜視図である。
【発明を実施するための形態】
【０００９】
以下、図面を参照して、この発明の実施の形態について説明する。なお、各図中、同一または相当する部分には、同一符号を付して、その説明を適宜省略または簡略化する。また、各図に記載の構成について、その大きさおよび配置は、この発明の範囲内で適宜変更することができる。
【００１０】
実施の形態１．
図１は、この実施の形態に係る空気調和機の室内機１００の斜視図である。この実施の形態に係る室内機１００は、例えば、被空調空間である室内の壁に取り付けられる壁掛け型のものである。室内機１００は、前面に前面意匠パネル１を備え、前面の下部に吹出口２を備える。
【００１１】
図２は、図１に記載の室内機１００の分解斜視図である。室内機１００は、背面側筐体３、左側筐体１１、右側筐体１２および前面側筐体１３を含み、これらは、室内機１００の筐体を構成する。前面側筐体１３のさらに前面側には、意匠部材である前面意匠パネル１が取り付けられる。なお、左側筐体１１および右側筐体１２は、室内機１００の左右側面の意匠部材を構成する。
【００１２】
室内機１００の筐体内には、熱交換器４、熱交換器カバー５、電気品箱６、ドレンパン７、ファン固定部９およびプロペラファン１０が収容される。熱交換器４は、その内部を流れる冷媒と周囲空気との熱交換を行うものである。ドレンパン７は、熱交換器４の下側に設置され、室内機１００の筐体内で結露して落下した水滴を受けるものである。
【００１３】
熱交換器４の上側には、プロペラファン１０を固定するファン固定部９が設置される。プロペラファン１０は、室内機１００の筐体の外側から空気を吸い込み、吸い込んだ空気を熱交換器４に通過させて、熱交換器４を通過した空気を室内機１００の筐体の外側に吹き出すように、空気流れを発生させるものである。
【００１４】
熱交換器カバー５は、熱交換器４の右側に設置され、熱交換器４の右側から飛散した結露水を受けるものである。熱交換器４の右側から飛散した結露水は、熱交換器カバー５に受けられて落下し、熱交換器カバー５の下側に設置されたドレンパン７に導かれる。なお、この実施の形態の例では、熱交換器カバー５が、熱交換器４の右側に設置される例について説明するが、熱交換器４の右側および左側に、熱交換器カバーを設置してあっても良い。
【００１５】
図３は、図２に記載の熱交換器カバー５の拡大図である。熱交換器カバー５は、前面カバー板５ａ、背面カバー板５ｂ、前面カバー板５ａと背面カバー板５ｂとを連結する側面カバー板５ｃを含む。例えば、この実施の形態では、前面カバー板５ａと背面カバー板５ｂと側面カバー板５ｃとは一体的に形成される。背面カバー板５ｂの一端（左側）には２個の位置出し用突起５ｄが形成され、背面カバー板５ｂの他端（右側）には２個のネジ止め部５ｅが形成される。なお、位置出し用突起５ｄおよびネジ止め部５ｅの位置および個数は、熱交換器カバー５の大きさ等に応じて、適宜変更することができる。
【００１６】
図２に示す電気品箱６は、熱交換器カバー５を挟んで、熱交換器４とは反対側に配置される。電気品箱６は、回路基板等を収容するものである。上下方向調節板８は、吹出口２から吹き出される空気の上下方向の向きを調整するものである。
【００１７】
図４は、図１に記載の室内機１００の縦断面を概略的に記載した概略図である。プロペラファン１０を駆動すると、室内機１００の上側から、室内機１００の筐体内に空気が吸い込まれる。室内機１００の筐体内に吸い込まれた空気は、熱交換器４で熱交換が行われる。熱交換器４で熱交換が行われた空気は、吹出口２から吹き出される。なお、冷房運転を行っている場合には、室内機１００に吸い込まれた空気は、熱交換器４で冷却される。また、暖房運転を行っている場合には、室内機１００に吸い込まれた空気は、熱交換器４で暖められる。
【００１８】
図５は、図２に記載の熱交換器４の右側を拡大した拡大図である。熱交換器４は、その右側に、複数のＵ字状配管１４、複数の補助配管１５、複数の接続配管１６を有する。Ｕ字状配管１４は、概略Ｕ字形状であり、熱交換器４の右側面から突出している。Ｕ字状配管１４は、熱交換器４の伝熱管（図示を省略してある）を接続するものである。補助配管１５は、Ｕ字状配管１４よりもさらに右側に延びており、例えば、熱交換器４の前面側の伝熱管と背面側の伝熱管とを接続するものである。なお、以下の説明では、複数のＵ字状配管１４および複数の補助配管１５を含む配管群を単に配管群Ｚともいう。
【００１９】
接続配管１６は、室内機１００と室外機（図示を省略してある）とを接続するものである。接続配管１６は、熱交換器４の右側面から突出し、Ｕ字状配管１４および補助配管１５よりもさらに右側で下側に向いて曲げられている。接続配管１６は、室内機１００の熱交換器４と室外機へ向かう外部配管（図示を省略してある）とを接続する。
【００２０】
接続配管１６の大部分は、接続配管カバー１７によって覆われている。接続配管カバー１７は、接続配管１６とその周囲空気との熱交換を抑制するものである。接続配管カバー１７は、好適には、柔軟性（弾性）および断熱性を持つ材質で形成される。
【００２１】
図６は、図２に記載の背面側筐体３、熱交換器カバー５およびドレンパン７の右側を拡大した拡大図である。図７は、図６に記載の背面側筐体３に、図５に記載の熱交換器４を設置した状態の斜視図である。なお、図７に記載の熱交換器カバー５は、後述のように、熱交換器４を設置した背面側筐体３に取り付けられる。
【００２２】
図７に示すように、熱交換器４は、背面側筐体３に取り付けられる。熱交換器４の右側で下方に延びる接続配管カバー１７は、背面側筐体３に形成された左ガイド壁（第１のガイド壁）１８−１と右ガイド壁（第２のガイド壁）１８−２との間の接続配管収容部１８（図６を参照）に収容される。接続配管収容部１８は、例えば、背面側筐体３と一体的に形成される。
【００２３】
接続配管収容部１８の左ガイド壁１８−１および右ガイド壁１８−２は、接続配管カバー１７の左右方向の位置を規制する。すなわち、左ガイド壁１８−１と右ガイド壁１８−２との間の幅が接続配管カバー１７の直径と概略等しくなるように、左ガイド壁１８−１および右ガイド壁１８−２が形成される。接続配管カバー１７は、左ガイド壁１８−１と右ガイド壁１８−２との間で挟持される。左ガイド壁１８−１および右ガイド壁１８−２は、図７に示すように、背面側筐体３に取り付けられた熱交換器４の配管群Ｚよりも、右側に形成される。
【００２４】
接続配管収容部１８は、図６に示すように、接続配管カバー１７の背面側を支持する背面ガイド部１８−３を有する。背面ガイド部１８−３は、接続配管カバー１７側に突出した複数個の突起であり、接続配管カバー１７の外周形状と概略同形状に形成されている。接続配管収容部１８は、熱交換器４の配管群Ｚよりも右側で、背面側筐体３の上下方向に沿って延びる接続配管カバー１７を保持する。
【００２５】
図６に示すように、右ガイド壁１８−２よりも熱交換器４側に形成された左ガイド壁１８−１には、熱交換器カバー５の位置出し用突起５ｄが挿入される挿入部１９が形成されている。熱交換器カバー５の位置出し用突起５ｄを左ガイド壁１８−１の挿入部１９に挿入することによって、熱交換器カバー５と背面側筐体３とが位置決めされる。位置出し用突起５ｄおよび挿入部１９は、熱交換器カバー５と背面側筐体３との位置出しを行う位置出し部を構成する。
【００２６】
熱交換器カバー５と背面側筐体３とが位置決めされると、図７に示す熱交換器カバー５のネジ止め部５ｅと右ガイド壁１８−２に形成されたネジボス２０との位置が合わさる。ネジ止め部５ｅとネジボス２０とを利用してネジ止めを行うと、熱交換器カバー５と背面側筐体３とが固定される。ネジ止め部５ｅおよびネジボス２０は、熱交換器カバー５と背面側筐体３との固定を行う固定部を構成する。左ガイド壁１８−１よりも熱交換器４から離れた右ガイド壁１８−２にネジ止めを行うためのネジボス２０を形成してあるので、ネジ止めを容易に行うことができる。この実施の形態では、ネジ止め部５ｅおよびネジボス２０が２箇所形成されているため、２箇所でネジ止めが行われるが、ネジ止め箇所は１箇所であっても良く、３箇所以上であっても良い。
【００２７】
図８は、熱交換器カバー５と背面側筐体３とのネジ止めについて説明する模式図である。図６に示す熱交換器カバー５の位置出し用突起５ｄを背面側筐体３の挿入部１９に挿入すると、熱交換器カバー５と背面側筐体３とが位置決めされて、図８に示すように、ネジ止め部５ｅとネジボス２０との位置が合わさる。ネジ止め部５ｅとネジボス２０との位置が合わさった状態で、固定ネジ２１にてネジ止めを行う。
【００２８】
図９は、図７に記載の熱交換器４、背面側筐体３および熱交換器カバー５を組み立てた状態の横断面を概略的に記載した概略図である。図１０は、図９に記載の接続配管収容部１８の部分を拡大した拡大図である。図１１は、図１０に記載の熱交換器カバー５の背面カバー板５ｂの背面図である。
【００２９】
図９および図１０に示すように、熱交換器カバー５が背面側筐体３に取り付けられると、熱交換器カバー５は、熱交換器４の右側の配管群Ｚを覆うとともに、接続配管カバー１７を背面側に押圧する。熱交換器カバー５は、弾性を有する接続配管カバー１７を背面側筐体３に押し付けるので、接続配管カバー１７は、熱交換器カバー５と背面側筐体３との間で好適に挟持される。この実施の形態では、左ガイド壁１８−１と右ガイド壁１８−２との間で挟持されて上下方向に延びる接続配管カバー１７の部分を背面側筐体３に押し付けて、接続配管カバー１７を背面側筐体３に固定している。なお、熱交換器カバー５は、他の場所で、接続配管カバー１７を背面側筐体３に押し付けても良い。
【００３０】
図１０および図１１に示すように、熱交換器カバー５の背面カバー板５ｂの背面側には、背面カバー板５ｂの背面から突出する位置出し用突起５ｄおよび押圧用突起５ｆが形成されている。位置出し用突起５ｄおよび押圧用突起５ｆは、接続配管カバー１７に当接して、接続配管カバー１７を背面側筐体３に押し付ける。位置出し用突起５ｄは、押圧用突起５ｆよりも右側に突出しており、上述のように、図７に記載の左ガイド壁１８−１の挿入部１９に挿入される。
【００３１】
図１１に示すように、２つの位置出し用突起５ｄの間には、熱交換器カバー５の左側面から位置出し用突起５ｄと同じ方向（左側）に突出するガイド部５ｈが形成されている。ガイド部５ｈは、突出方向の先端側（左側）が細くなるように形成された先細の形状である。ガイド部５ｈを図７に記載の左ガイド壁１８−１の挿入部１９の間の前面側端部（端面）に当接させることによって、熱交換器カバー５と背面側筐体３との位置決めを好適に行うことができる。さらに、熱交換器カバー５を背面側筐体３に取り付ける際に、位置出し用突起５ｄに作用する応力を軽減することができるので、位置出し用突起５ｄが変形または損傷するおそれが軽減されている。
【００３２】
図１０および図１１に示すように、背面カバー板５ｂの背面側に形成された複数の押圧用突起５ｆは、左右方向に沿った長さが、左ガイド壁１８−１と右ガイド壁１８−２との間の幅と概略等しくなるように形成されている。このため、左ガイド壁１８−１と右ガイド壁１８−２との間に、熱交換器カバー５の押圧用突起５ｆを合わせて、熱交換器カバー５と背面側筐体３との位置決めを行うことができる。
【００３３】
図１２は、ドレンパン７と熱交換器カバー５との位置関係を上側から見た模式図である。図１３は、熱交換器４とドレンパン７と熱交換器カバー５との位置関係を左側から見た模式図である。
【００３４】
冷房運転時に、熱交換器４で熱交換が行われると、熱交換器４で結露が発生する場合がある。そこで、図１３に示すように、熱交換器４の下部には、落下した結露水を受けるためのドレンパン７が設置されている。また、熱交換器４の右側には、熱交換器４の右側に飛散した結露水を受けるための熱交換器カバー５が設置されている。
【００３５】
上記のように、熱交換器４の右側では、熱交換器４の側面から配管群Ｚが突出している。配管群Ｚが配置された場所では、配管が入り組んで配置されており、ある配管から落下した結露水が、他の配管に当たって、結露水が飛散することがある。たとえば、断面形状が円形の配管の場合には、配管群Ｚの左右方向に結露水が飛び散りやすい。このため、熱交換器４よりも右側に設置された電気品箱６に、結露水が付着しないように、熱交換器４の配管群Ｚと電気品箱６との間に熱交換器カバー５が設置される。熱交換器カバー５は、熱交換器４の配管群Ｚを覆っており、熱交換器４の右側に飛散した結露水を受ける。
【００３６】
熱交換器カバー５の前面カバー板５ａは、図１３に示すように、配管群Ｚの前面側を覆っている。また、配管群Ｚの右側および背面側は、図９および図１０に示すように、側面カバー板５ｃと背面カバー板５ｂと背面側筐体３とによって覆われている。したがって、この実施の形態では、熱交換器カバー５の右側には結露水が飛散しないようになっている。その結果、熱交換器カバー５よりも右側に設置された電気品箱６（図２を参照）には結露水が付着しない。
【００３７】
図１４は、図１３に記載の熱交換器カバー５を左側から見た斜視図である。熱交換器カバー５が受けた結露水は重力によって下側に向かう。ここで、熱交換器カバー５は、熱交換器４の右側に飛散する結露水を確実に受けるように、ドレンパン７よりも大きく形成されている。そこで、熱交換器カバー５の下側は、熱交換器カバー５よりも内側に位置するドレンパン７に結露水が向かうように傾斜された傾斜部５ｇに形成されている。熱交換器カバー５が受けた結露水は、傾斜部５ｇを通ってドレンパン７に導かれる。
【００３８】
上記のように、この実施の形態では、結露水を受ける熱交換器カバー５を背面側筐体３に取り付けるのみで、接続配管カバー１７に覆われた接続配管１６を背面側筐体３に固定することができる。この実施の形態では、熱交換器カバー５を取り付けることによって、接続配管１６が好適に固定されるため、室内機１００の筐体内部での接続配管１６の捻じれ、変形および損傷等のおそれが軽減されている。
【００３９】
好適には、接続配管１６は、図５に示すように、熱交換器４の右側面から突出し、Ｕ字状配管１４および補助配管１５よりもさらに右側で上側に曲げられ、その後に下側に曲げられる。このように、接続配管１６を上側に曲げてから下側に曲げることによって、熱交換器カバー５と背面側筐体３とで接続配管１６を挟持する面積を大きくすることができる。すなわち、図７に示すように、接続配管収容部１８に収容される接続配管カバー１７の長さを長くすることができるので、接続配管収容部１８で熱交換器カバー５によって押し付けられる接続配管カバー１７の面積を大きくすることができる。その結果、接続配管１６を好適に固定することができる。
【００４０】
この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【００４１】
例えば、上記の実施の形態では、接続配管１６が熱交換器４の右側に突出した例について説明したが、この発明は、接続配管が熱交換器４の左側に突出した室内機にも適用することができる。
【００４２】
また、例えば、接続配管１６を熱交換器カバー５で直接的に固定する構成であっても良い。この場合には、接続配管カバー１７の少なくとも一部を省略することができる。
【符号の説明】
【００４３】
１  前面意匠パネル、２  吹出口、３  背面側筐体、４  熱交換器、５  熱交換器カバー、５ａ  前面カバー板、５ｂ  背面カバー板、５ｃ  側面カバー板、５ｄ  位置出し用突起、５ｅ  ネジ止め部、５ｆ  押圧用突起、５ｇ  傾斜部、５ｈ  ガイド部、６  電気品箱、７  ドレンパン、８  上下方向調節板、９  ファン固定部、１０  プロペラファン、１１  左側筐体、１２  右側筐体、１３  前面側筐体、１４  Ｕ字状配管、１５  補助配管、１６  接続配管、１７  接続配管カバー、１８  接続配管収容部、１８−１  左ガイド壁、１８−２  右ガイド壁、１８−３  背面ガイド部、１９  挿入部、２０  ネジボス、２１  固定ネジ、１００  室内機、Ｚ  配管群。
【図１】
2015161493.tif 000003
【図２】
2015161493.tif 000004
【図３】
2015161493.tif 000005
【図４】
2015161493.tif 000006
【図５】
2015161493.tif 000007
【図６】
2015161493.tif 000008
【図７】
2015161493.tif 000009
【図８】
2015161493.tif 000010
【図９】
2015161493.tif 000011
【図１０】
2015161493.tif 000012
【図１１】
2015161493.tif 000013
【図１２】
2015161493.tif 000014
【図１３】
2015161493.tif 000015
【図１４】
2015161493.tif 000016